(57)【特許請求の範囲】
【請求項１】
監視空間に敷設されたサンプリング管と、該サンプリング管を介してサンプリングエアを導入する検煙部と、該検煙部の煙検出レベルを判別する制御部とを備えた煙感知器を複数設置して受信装置と接続した煙感知システムにおいて、
少なくとも１台の煙感知器が故障判別すると、前記受信装置は他の煙感知器のサンプリングエアの吸引量を増加させることを特徴とする煙感知システム。
【請求項２】
前記サンプリング管は、直筒状に形成され、その両端にそれぞれ煙感知器が設置されていることを特徴とする請求項１記載の煙感知システム。
【請求項３】
前記サンプリング管は、ループ状に形成され、前記煙感知器は、前記サンプリング管に互いに所定間隔をおいて２台以上設置されていることを特徴とする請求項１記載の煙感知システム。
【発明の詳細な説明】
【技術分野】
【０００１】
この発明は、空気中に浮遊する煙等の汚染物資を光学的に検知する、煙感知システムに関するものであり、特に、超高感度煙感知器を用いる煙感知システムに関するものである。
【０００２】
火災予防や煙発生時の検知システムとして、或いは、一定の環境保全を必要とする半導体製造工場や食品工場において煙感知器が使用される。
【０００３】
従来の自動火災報知システムでは、誤報を防止するため、複数の２感度式火災感知器を低感度モードに設定して監視状態となし、いずれか１つが発報すると、発報した火災感知器以外が高感度モードとなり、該高感度モードの火災感知器の発報により火災警報を発している。
【０００４】
【特許文献１】特開昭６３−０８１５９２号公報
【発明の開示】
【発明が解決しようとする課題】
【０００５】
従来の自動火災報知システムでは、全ての火災感知器を２感度式火災感知器としているので、設備費が嵩むとともに、受信装置の感度制御が複雑になる、という問題がある。
【０００６】
この発明の目的は、火災感知器が故障しても火災の検出に支障をきたさない様にすることである。
【課題を解決するための手段】
【０００７】
この発明は、監視空間に敷設されたサンプリング管と、該サンプリング管を介してサンプリングエアを導入する検煙部と、該検煙部の煙検出レベルを判別する制御部とを備えた煙感知器を複数設置して受信装置と接続した煙感知システムにおいて、少なくとも１台の煙感知器が故障判別すると、前記受信装置は他の煙感知器のサンプリングエアの吸引量を増加させることを特徴とする煙感知システム、である。
【０００８】
この発明の前記サンプリング管は、直筒状に形成され、その両端にそれぞれ煙感知器が設置されていることを特徴とする。この発明のサンプリング管は、ループ状に形成され、前記煙感知器は、前記サンプリング管に互いに所定間隔をおいて複数配置されていることを特徴とする。
【発明の効果】
【０００９】
この発明は、少なくとも１台の煙感知器が故障判別すると、前記受信装置は他の煙感知器のサンプリングエアの吸引量を増加させるので、１台の煙感知器が故障しても火災を検出することができる。
【発明を実施するための最良の形態】
【００１０】
この発明の第１実施の形態を図１〜図４により説明する。
図１に示す様に、煙感知器２の暗箱２１内には、発光素子１１と、フォトダイオード等の受光素子１２と、が配置されている。前記暗箱２１の中央部には、検煙部２５が設けられ、該検煙部２５の入口４はサンプリング管１に接続されている。
【００１１】
前記サンプリング管１は、適宜(例えば、５０cmピッチ)の間隔で、複数の吸引口３４を有する直筒状管であり、火災が発生したか否かが監視されている空間、即ち、監視空間３２に、例えば、約５０ｍにわたって配設されている。前記サンプリング管１及び前記検煙部２５は、ファン（図示省略）に連通しているが、このファンの駆動により監視空間３４内の空気は前記吸引口３４からサンプリング管１、検煙部２５に吸引される。
【００１２】
前記ファンの操作は、制御部（図示省略）により行われる。この制御部は、前記受光素子１２に接続されており、該受光素子１２の検出信号Ｓの出力により火災を判断し、警報装置を作動させる。なお、前記煙感知器は、受信装置に接続されている。
【００１３】
図１において、２３は遮光部２２に設けた光トラップ、２４は集光レンズ、２６はアパーチャ、をそれぞれ示す。
【００１４】
次に、本実施例の作動について説明する。
火災監視時：
制御部は、煙感知器の検煙部２５Ａ、２５Ｂの吸引力を、例えば、同一の強さに制御する。そうすると、監視空間３２内の空気Ａは、吸引孔３４を通ってサンプリング管１内に吸引されるが、サンプリング管１の中間位置Ｃを境界 (分岐点) にして監視空間３２から吸引される空気Ａが、左右に分けられ、各検煙部２５Ａ、２５Ｂ側に流れ込む（図２参照）。
【００１５】
煙検出時：
火災が発生し、火源３６から煙SMが発生すると、前記煙ＳＭは空気Ａとともに、サンプリング管１内に吸引されるが、火源３６が検煙部２５Ａ寄りなので、中間位置Ｃより検煙部２５Ａ寄りの吸引孔３４からサンプリング管１内に吸引される。前記サンプリング管１に流入したサンプリングエアＳＡは、煙感知器の検煙部２５Ａに入り、煙を検出される（図３参照）。
【００１６】
検煙部２５Ａが煙を検出すると、該煙感知器は、前記制御部に煙検出信号を送出する。前記制御部はその煙検出信号の検出レベルに基づいて火災か否かを判断し、火災と判断したときには、検煙部２５Ａの吸引力Ｐを下げるか、又は、そのままとし、検煙部２５Ｂの吸引力Ｐは上昇させる。例えば、検煙部２５Ａの吸引力は、Ｐ−ΔＰ、検煙部２５Ｂの吸引力は、Ｐ＋ΔＰ、に設定する（図４参照）。
【００１７】
前記のように検煙部２５Ｂの吸引力を検煙部２５Ａより強くすると、煙ＳＭは分岐部Ｃ２の吸引孔３４ｂから吸引され、前記検煙部２５Ｂ側に流入するので、該検出部２５Ｂの煙感知器が煙を検出し、煙検出信号を制御部に送出する。
【００１８】
前記制御部は、前記煙検出信号が火災レベルか否かを判断し、火災レベルと判断した時には、警報装置を駆動させ発報させる。
【００１９】
故障時：
前記煙感知器のうち１台、例えば、検煙部２５Ａ（煙感知器）、がファン等の故障により作動しない場合には、他の検煙部２５Ｂ（煙感知器）のみを用いて煙検出する。この場合、該検煙部２５Ｂに供給するサンプリングエアを増大させるため、ファンの回転力を通常より大きく、例えば、２倍にして該検煙部２５Ｂの吸引力を増大させる。従って、一方の煙感知器２５Ａが故障しても、他方の煙感知器２５Ｂの吸引力を増大させることにより、火災を検出することができる。
【００２０】
この発明の第２実施の形態を図５、図６により説明するが、図１〜図４と同一図面符号はその名称も機能も同一である。
この実施の形態と第１実施の形態との相違は、（１）サンプリング管１がループ状に形成されていること、（２）検煙部（煙感知器）が所定間隔をおいてループ状のサンプリング管１Ｌからの分岐管１Ｓに２台以上、例えば、４台設けられていること、である。
【００２１】
この実施の形態の作動について説明する。
火災監視時：
各検煙部（煙感知器）２５Ａ、２５Ｂ、２５Ｃ、２５Ｄの吸引力Ｐは、同一に調整されている。
【００２２】
煙検出時：
火災が発生し、火源３６から煙ＳＭが発生すると、前記火源３６に最も近い検煙部２５Ｂ(煙感知器)が煙を検出し、制御部に煙検出信号を送出する。前記制御部は、受信した前記煙検出信号が火災レベルか否かを判断する。
【００２３】
前記制御部が火災と判断したときには、煙を検出した検煙部２５Ｂの吸引力を下げるか、又は、そのままにし、該検煙部２５Ｂの両側の検煙部２５Ａ、２５Ｃの吸引力は強くする。例えば、検煙部２５Ｂの吸引力は、Ｐ−ΔＰとし、前記検煙部２５Ａ、２５Ｃの吸引力は、Ｐ＋ΔＰにする。
【００２４】
そうすると、火源３６に近い方の検煙部２５Ａが速く煙を検出し、前記制御部に煙検出信号を送出する。前記制御部は前記信号出力が火災レベルか否かを判断し、火災レベルと判断した時には、警報装置を駆動させ発報させる。
【００２５】
故障時：
前記煙感知器のうち１台、例えば、検煙部２５Ｂ（煙感知器）、がファン等の故障により作動しない場合には、他の検煙部（煙感知器）、例えば、検煙部２５Ｂの両側の検煙部（煙感知器）２５Ａ、２５Ｃの吸引力を増大させる。そうすると、火源３６の煙ＳＭは、空気とともに吸引口３４ｃからサンプリング管１Ｌ内に吸引され、前記検煙部２５Ａにより煙検出される。従って、一台の煙感知器が故障しても、他の煙感知器の吸引力を増大させることにより、火災を検出することができる。
【００２６】
第１実施の形態及び第２実施の形態においては、制御部は１台の煙感知器が故障判別すると、他の煙感知器の吸引力を強くするため、１台の煙感知器が故障しても火災を検出することができる。
【００２７】
第１実施の形態及び第２実施の形態においては、火災監視時の各煙感知器の検煙部２５Ａ、２５Ｂ、２５Ｃ、２５Ｄの吸引力Ｐは同一に調整されている例を示したが、各吸引力は同一としなくてもよい。これによりサンプリング管１、１Ｌにおける分岐点Ｃを自由に設定できる。
【図面の簡単な説明】
【００２８】
【図１】本発明の第１実施の形態の暗箱を示す縦断面図である。
【図２】本発明の第１実施の形態を示す平面図である。
【図３】図２の他の状態を示す平面図である。
【図４】図２の他の状態を示す平面図である。
【図５】本発明の第２実施の形態を示す平面図である。
【図６】図５の他の状態を示す平面図である。
【符号の説明】
【００２９】
１ サンプリング管
１Ｌ サンプリング管
２５Ａ 検煙部
２５Ｂ 検煙部
３２ 監視空間
３４ 吸引口
３６ 火源
ＳＡ サンプリングエア
【図１】
0005204882.tif 000002
【図２】
0005204882.tif 000003
【図３】
0005204882.tif 000004
【図４】
0005204882.tif 000005
【図５】
0005204882.tif 000006
【図６】
0005204882.tif 000007